(57)【要約】【課題】個人情報を容易かつ確実に判読不能な状態とできる個人情報保護伝票及びその使用方法を提供する。【解決手段】送り状と、該送り状から分離可能に設けられた受領書とからなり、それぞれの情報記入面が表出し、配送対象物に貼り付けられる個人情報保護伝票であって、少なくとも送り状は、基材１０と、基材１０の一方の面の少なくとも一部に形成された剥離層２０と、剥離層２０の上に積層された受像層３０と、基材１０の他方の面に形成された接着層５０とを有し、受像層３０の上には、少なくとも受取人の名称及び住所を特定する個人情報が印字され情報表示部４０が設けられる。【選択図】図３
2007301938.tif 000002
【特許請求の範囲】
【請求項１】
送り状と、該送り状から分離可能に設けられた受領書とからなり、それぞれの情報記入面が表出し、配送対象物に貼り付けられる個人情報保護伝票であって、
少なくとも前記送り状は、
基材と、
前記基材の一方の面の少なくとも一部に形成された剥離層と、
前記剥離層の上に積層された受像層と、
前記基材の他方の面に形成された接着層とを有し、
前記受像層の上には、少なくとも受取人の名称及び住所を特定する個人情報が印字されることを特徴とする個人情報保護伝票。
【請求項２】
送り状と、該送り状から分離可能に設けられた受領書とからなり、それぞれの情報記入面が表出し、配送対象物に貼り付けられる個人情報保護伝票であって、
少なくとも前記送り状は、
基材と、
前記基材の一方の面の少なくとも一部に形成された剥離層と、
前記基材の他方の面に形成された接着層とを有し、
前記剥離層の上には、少なくとも受取人の名称及び住所を特定する個人情報が印字されることを特徴とする個人情報保護伝票。
【請求項３】
基材と、
前記基材の一方の面の少なくとも一部に形成された剥離層と、
前記剥離層の上に積層された受像層と、
前記基材の他方の面に、周縁の一部及び中央部を除いて剥離及び再貼り付け可能に貼り付けられた透明フィルムとを有し、
前記受像層の上には、少なくとも受取人の名称及び住所を特定する個人情報が印字されることを特徴とする個人情報保護伝票。
【請求項４】
基材と、
前記基材の一方の面の少なくとも一部に形成された剥離層と、
前記基材の他方の面に、周縁の一部及び中央部を除いて剥離及び再貼り付け可能に貼り付けられた透明フィルムとを有し、
前記剥離層の上には、少なくとも受取人の名称及び住所を特定する個人情報が印字されることを特徴とする個人情報保護伝票。
【請求項５】
重ね合わされた２枚以上の伝票からなり、それらのうちの少なくとも一枚が配送対象物に貼り付けられる複写式の個人情報保護伝票であって、
前記配送対象物に貼付される伝票を含む１以上の伝票は、
基材と、
前記基材の一方の面の少なくとも一部に形成された剥離層と、
少なくとも受取人の名称及び住所を特定する個人情報を表示する領域については、前記剥離層上に積層されて形成された受像層と、
最も上の伝票に印字された前記個人情報を前記剥離層の上に積層された前記受像層上に複写表示するための複写機構とを有することを特徴とする個人情報保護伝票。
【請求項６】
重ね合わされた２枚以上の伝票からなり、それらのうちの少なくとも一枚が配送対象物に貼り付けられる複写式の個人情報保護伝票であって、
前記配送対象物に貼付される伝票を含む１以上の伝票は、
基材と、
前記基材の一方の面の少なくとも受取人の名称及び住所を特定する個人情報を表示する領域に少なくとも形成された剥離層と、
最も上の伝票に印字された前記個人情報を前記剥離層上に複写表示するための複写機構とを有することを特徴とする個人情報保護伝票。
【請求項７】
請求項１から６のいずれか１項記載の個人情報保護伝票の使用方法であって、前記配送対象物の配送完了後に、少なくとも該配送対象物に添付されている伝票の前記個人情報が表示されている部分を擦り、該個人情報を判読不能とすることを特徴とする個人情報保護伝票の使用方法。
【発明の詳細な説明】
【技術分野】
【０００１】
本発明は、荷物などの配送対象物に添付される伝票に関し、特に、廃棄する際には記載されている個人情報を容易かつ確実に判読不能とできる伝票に関する。
【背景技術】
【０００２】
運送業者に荷物の配送を依頼する場合、依頼主は、自身の連絡先や受取人の氏名・連絡先といった個人情報を伝票に記載する必要がある。
【０００３】
これらの個人情報が記載された伝票は、運送中は荷物に貼付されて、荷物の管理などに利用される。
【０００４】
荷物が受取人に届いた後は、荷物に貼付されている伝票は不要となるため、受取人が伝票を剥がして廃棄している。
【０００５】
しかし、伝票をそのまま廃棄してしまうと、上記の個人情報を他人に盗み見られ、個人情報が漏洩してしまう可能性があるという問題があった。
【０００６】
特許文献１の「配送伝票」には、少なくとも配送情報（個人情報）が記載された部分を取り外すことができるようにした配送伝票が開示されている。特許文献１に開示される発明のように、個人情報が記載された部分を取り外すことができるようにすれば、その部分をシュレッダーにかけるなどして個人情報の保護を図ることもできる。
【特許文献１】特開２００３−５４１５９号公報
【発明の開示】
【発明が解決しようとする課題】
【０００７】
しかし、配送伝票から個人情報が記載された部分を取り除き、個人情報を判読不能となるまで細片化する作業は、手作業では容易には行えない。しかも、たとえシュレッダーで細分化したとしても、紙片をつなぎ合わせれば個人情報を復元できてしまう。
【０００８】
本発明は係る問題に鑑みてなされたものであり、個人情報を容易かつ確実に判読不能な状態とできる個人情報保護伝票及びその使用方法を提供することを目的とする。
【課題を解決するための手段】
【０００９】
上記目的を達成するため、本発明は、第１の態様として、送り状と、該送り状から分離可能に設けられた受領書とからなり、それぞれの情報記入面が表出し、配送対象物に貼り付けられる個人情報保護伝票であって、少なくとも送り状は、基材と、基材の一方の面の少なくとも一部に形成された剥離層と、剥離層の上に積層された受像層と、基材の他方の面に形成された接着層とを有し、受像層の上には、少なくとも受取人の名称及び住所を特定する個人情報が印字されることを特徴とする個人情報保護伝票を提供するものである。
【００１０】
また、上記目的を達成するため、本発明は、第２の態様として、送り状と、該送り状から分離可能に設けられた受領書とからなり、それぞれの情報記入面が表出し、配送対象物に貼り付けられる個人情報保護伝票であって、少なくとも送り状は、基材と、基材の一方の面の少なくとも一部に形成された剥離層と、基材の他方の面に形成された接着層とを有し、剥離層の上には、少なくとも受取人の名称及び住所を特定する個人情報が印字されることを特徴とする個人情報保護伝票を提供するものである。
【００１１】
また、上記目的を達成するため、本発明は、第３の態様として、基材と、基材の一方の面の少なくとも一部に形成された剥離層と、剥離層の上に積層された受像層と、基材の他方の面に、周縁の一部及び中央部を除いて剥離及び再貼り付け可能に貼り付けられた透明フィルムとを有し、受像層の上には、少なくとも受取人の名称及び住所を特定する個人情報が印字されることを特徴とする個人情報保護伝票を提供するものである。
【００１２】
また、上記目的を達成するため、本発明は、第４の態様として、基材と、基材の一方の面の少なくとも一部に形成された剥離層と、基材の他方の面に、周縁の一部及び中央部を除いて剥離及び再貼り付け可能に貼り付けられた透明フィルムとを有し、剥離層の上には、少なくとも受取人の名称及び住所を特定する個人情報が印字されることを特徴とする個人情報保護伝票を提供するものである。
【００１３】
また、上記目的を達成するため、本発明は、第５の態様として、重ね合わされた２枚以上の伝票からなり、それらのうちの少なくとも一枚が配送対象物に貼り付けられる複写式の個人情報保護伝票であって、配送対象物に貼付される伝票を含む１以上の伝票は、基材と、基材の一方の面の少なくとも一部に形成された剥離層と、少なくとも受取人の名称及び住所を特定する個人情報を表示する領域については、剥離層上に積層されて形成された受像層と、最も上の伝票に印字された個人情報を剥離層の上に積層された受像層上に複写表示するための複写機構とを有することを特徴とする個人情報保護伝票を提供するものである。
【００１４】
また、上記目的を達成するため、本発明は、第６の態様として、重ね合わされた２枚以上の伝票からなり、それらのうちの少なくとも一枚が配送対象物に貼り付けられる複写式の個人情報保護伝票であって、配送対象物に貼付される伝票を含む１以上の伝票は、基材と、基材の一方の面の少なくとも受取人の名称及び住所を特定する個人情報を表示する領域に少なくとも形成された剥離層と、最も上の伝票に筆記された個人情報を剥離層上に複写表示するための複写機構とを有することを特徴とする個人情報保護伝票を提供するものである。
【００１５】
また、上記目的を達成するため、本発明は、第５の態様として、上記第１から第４の何れかの態様の個人情報保護伝票の使用方法であって、配送対象物の配送完了後に、少なくとも該配送対象物に貼付されている伝票の個人情報が表示されている部分を擦り、該個人情報を判読不能とすることを特徴とする個人情報保護伝票の使用方法を提供するものである。
【発明の効果】
【００１６】
本発明によれば、個人情報を容易かつ確実に判読不能な状態とできる個人情報保護伝票及びその使用方法を提供できる。
【発明を実施するための最良の形態】
【００１７】
図１に、本発明にかかる個人情報保護伝票に適用する積層構造体の基本構成を示す。この積層構造体は、基材１０の一方の面上に、剥離層２０として表面不活性なエネルギー線硬化型樹脂層、受像層３０として凝集力の低い樹脂層を順に積層し、配送対象物に貼付する伝票に関しては更に他方の面に接着層５０を設けた構造である。
【００１８】
受像層３０は剥離層２０との密着性が低く、基材と略平行な力を局所的に加えると（コインや爪等で擦ると）剥離層２０との界面から剥がれる。
【００１９】
〔第１の実施形態〕
本発明を好適に実施した第１の実施形態について説明する。
図２に、本実施形態にかかる個人情報保護伝票の一例を示す。図２に示すように、この個人情報保護伝票は、送り状と受領書とが一枚のシートとして形成された構成である。また、図３に、この個人情報保護伝票の断面を示す。本実施形態において基材１０は、下基材１０ａと上基材１０ｂとが剥離可能接着層１０ｃを介して積層された構造である。送り状と受領書とは、基材１０を共通としており、上基材１０ｂに設けられたスリット１０ｄによって区画構成されている。
【００２０】
剥離可能接着層１０ｃを介して下基材１０ａに接着されている上基材１０ｂは、下基材１０ａから剥離可能である。一方、接着層５０は、下基材１０ａを不図示の貼り付け対象物に対して剥離困難に強接着する。
【００２１】
運送の対象である荷物には個人情報保護伝票全体が、送り状と受領書とが一体のまま接着層５０によって貼付される。荷物の受け渡し時には、スリット１０ｄによって区画されている受領書のみが荷物から剥がし取られ、受領印が受領者によって押され、配達人がこれを回収することとなる。
【００２２】
剥離層２０及び受像層３０は、送り状の個人情報（少なくとも受取人の名称及び住所を特定する情報）が記載される欄に形成されている。これらは少なくとも送り状の個人情報が記載される欄に形成されている必要があるが、これ以外の部分（例えば、受領書の個人情報が記載される欄）にも形成されていても良い。
また、送り主が小売り業者のような法人であるならば、配送作業終了後に送り状に表示されている送り主の名称及び住所は必ずしも判読不能とできなくてもよいが、送り主が個人であるならば、これらの情報は配送作業完了後に判読不能とできることが好ましい。よって、送り主の名称及び住所が表示される領域（図２でいう送り状のご依頼主欄部分）についても剥離層２０と受像層３０とを積層させることが好ましい。
【００２３】
このようにして形成した本実施形態にかかる個人情報保護シートでは、受像層３０を軽く擦っても（例えば、指の腹や消しゴムで擦っても）、擦られた部分は剥離層２０からは剥離しないが、所定値以上の圧力を加えながら擦ると（例えば、コインや爪などで擦ると）、擦られた部分は剥離層２０から剥離する。
【００２４】
運送業者に荷物の配送を依頼する場合、依頼主は、自身の連絡先や受取人の氏名・連絡先といった個人情報を、受像層３０の表面に公知の印字方法（インキ、トナーによるプリンタでの形成や、印刷や鉛筆などでの手書きによる形成等）で印字し、情報表示部４０を形成する。なお、これらの個人情報は依頼主が運送業者に依頼して個人情報保護伝票に記載してもらっても良い。
【００２５】
個人情報が印字され配送物に貼付された個人情報保護伝票は、運送作業中は荷物の管理に用いられるが、配送物が受取人に配達された時点で不要となる。よって、荷物に貼付されたまま残る送り状は、受取人が廃棄する必要がある。
【００２６】
図４に示すように、受像層３０の表面に表示された個人情報（情報表示部４０）は、受像層３０をコインや爪等で擦ることで、受像層３０と一緒に剥離させることができる。これにより、荷物に貼付されていた個人情報保護伝票を廃棄する際に個人情報の漏洩を防げる。
【００２７】
また、受像層３０に粘着テープを付着したような場合でも、それを剥がす際には受像層３０に局所的に力が集中することは無いため、受像層３０が剥離することはない。従来のいわゆる“スクラッチカード”は、表面に粘着テープを貼り付けて剥がすと隠蔽層（銀色の層）が剥がれることを鑑みると、本実施形態に係る個人情報保護シートにおける受像層３０と剥離層２０との密着性は、従来のスクラッチカードの隠蔽層よりも高い方が好ましいといえる。
【００２８】
なお、上記の説明では、受像層３０を備える構成を例として説明したが、図１（ｂ）に示すように、基材１０の一方の面には剥離層２０として表面不活性なエネルギー線硬化型樹脂層のみを形成しても良い。この場合には、剥離層２０をコインや爪で擦ることで、剥離層２０の上に形成された情報表示部４０を剥離させることができる。
【００２９】
本実施形態にかかる個人情報保護シートは、所定値以上の圧力を加えながら情報表示部４０を擦ることで、受像層３０もろとも（これを備えない構成の場合は情報表示部４０のみ）を剥離層２０から剥離・除去されられるため、情報表示部４０によって表示されていた個人情報は完全に判読不能な状態となる。よって、個人情報が表示された個人情報保護伝票を廃棄する際には、簡単な操作で個人情報の判読を不能とすることができ、廃棄物からの個人情報の漏洩を確実に防止できる。
なお、受領書を荷物から剥離可能とするための層構造は、図示した例とは異なる公知構造としても良い。例えば、送り状の部分のみ基材を単層構造としても良い。
【００３０】
〔第２の実施形態〕
本発明を好適に実施した第２の実施形態について説明する。図５（ａ）に、本実施形態にかかる個人情報保護伝票に適用する積層構造体の構成を示す。本実施形態においては、剥離層２０が形成された面と反対側の面には接着層が設けられておらず、透明フィルム１２０が接着されている。（ｂ）に示すように、透明フィルム１２０には、周縁の一部及び中央部を除いてコの字状に粘着部１２１が形成されており、粘着部１２１を介して基材１０に接着されている。透明フィルム１２０は、基材１０から剥離可能かつ、粘着部１２１を用いて運送対象物への再接着が可能となっている。
【００３１】
本実施形態においては、透明フィルム１２０を基材１０から剥離させ、荷物に貼り付けることにより、情報表示部４０を形成した個人情報保護伝票を透明フィルム１２０と荷物との隙間に収納することが可能となる。すなわち、荷物と透明フィルムと１２０との隙間に伝票を収納することによって、伝票を添付することが可能となる。
【００３２】
情報表示部４０によって表示されている個人情報を荷物の配送完了後に判読不能とするためには、第１の実施形態と同様に、コインや爪などで受像層３０を擦れば良い。
【００３３】
〔第３の実施形態〕
本発明を好適に実施した第３の実施形態について説明する。
図６に本実施形態にかかる個人情報保護伝票の構成を示す。本実施形態に係る個人情報保護伝票は、第１伝票の上に第２の伝票が重ね合わされた複写式の伝票である。なお、第１の伝票と第２の伝票とは分離可能となっており、配送する荷物には第１の伝票のみが貼付されるものとする。
【００３４】
第１の伝票の層構成は、図１に示した基本構成と同様であり、基材１０の一方の面上に剥離層２０及び受像層３０、他方の面に接着層５０が設けられている。なお、剥離層２０や受像層３０は、第２の伝票の個人情報が複写される領域と対応する形状に設けておくと、層形成のための材料を節約できるため好ましい。
【００３５】
第２の伝票は、第２の基材７０の第１の伝票側の受像層３０と接する部分に複写層６０を備えている。
【００３６】
依頼人や受取人の連絡先などの個人情報を第２の伝票に記入（インパクト方式の印字や筆記による）すると、複写層６０にかかる圧力によって、個人情報は受像層３０に複写され、図７に示すように第１の伝票に情報表示部４０を形成する。
【００３７】
受像層３０上に複写された個人情報は、第１の実施形態と同様に、受像層３０ごと剥離層２０から除去することが可能である。よって、荷物に貼付された第１の伝票を受取人が破棄する際には、表示されている個人情報を容易に判読不能な状態とすることが可能である。
【００３８】
〔第４の実施形態〕
本発明を好適に実施した第４の実施形態について説明する。
図８に本実施形態にかかる個人情報保護伝票の構成を示す。本実施形態に係る個人情報保護伝票は、第１伝票と第２の伝票とが重ね合わされた複写式の伝票である。なお、第１の伝票と第２の伝票とは分離可能となっており、配送する荷物には第１の伝票のみが貼付されるものとする。
【００３９】
第１の伝票は、図１に示した基本構成の積層構造体の受像層３０の上に、顕色剤層９０をさらに有する。なお、剥離層２０や受像層３０は、第２の伝票の個人情報が複写される領域と対応する形状に設けておくと、層形成のための材料を節約できるため好ましい。
【００４０】
第２の伝票は、第２の基材７０の第１の伝票側の受像層３０と接する部分に発色剤層８０を備えている。
【００４１】
依頼人や受取人の連絡先などの個人情報を第２の伝票に記入（インパクト方式の印字や筆記による）すると、第２の伝票にかかる圧力によって発色剤層８０と顕色剤層９０とが強く接し、個人情報は顕色剤層９０に複写され、図９に示すように第１の伝票に情報表示部４０を形成する。
【００４２】
顕色剤層９０上に複写された個人情報は、第１の実施形態と同様に、受像層３０ごと剥離層２０から除去することが可能である。よって、荷物に貼付された第１の伝票を受取人が破棄する際には、表示されている個人情報を容易に判読不能な状態とすることが可能である。
【００４３】
〔第５の実施形態〕
本発明を好適に実施した第５の実施形態について説明する。
図１０に本実施形態にかかる個人情報保護伝票の構成を示す。本実施形態に係る個人情報保護伝票は、第１伝票の上に第２の伝票が重ね合わされた複写式の伝票である。なお、第１の伝票と第２の伝票とは分離可能となっており、配送する荷物には第１の伝票のみが貼付されるものとする。
【００４４】
第１の伝票は、上記第１の実施形態に係る個人情報保護伝票の積層構造体の受像層３０の上に、自己発色層１００をさらに有する。なお、剥離層２０や受像層３０は、第２の伝票の個人情報が複写される領域と対応する形状に設けておくと、層形成のための材料を節約できるため好ましい。
【００４５】
第２の伝票は、第２の基材７０を備えている。
【００４６】
依頼人や受取人の連絡先などの個人情報を第２の伝票に記入（インパクト方式の印字や筆記による）すると、第２の基材７０にかかる圧力によって、個人情報は自己発色層１００に複写され、図１１に示すように第１の伝票に情報表示部４０を形成する。
【００４７】
自己発色層１００上に複写された個人情報は、第１の実施形態と同様に、受像層３０ごと剥離層２０から除去することが可能である。よって、荷物に貼付された第１の伝票を受取人が破棄する際には、表示されている個人情報を容易に判読不能な状態とすることが可能である。
【００４８】
なお、第３〜第５の実施形態においては、二枚の伝票が重ね合わされてなる複写式の伝票を例としたが、三枚以上の伝票が重ね合わされてなる複写式の伝票であっても同様の効果が得られることは言うまでもない。このような場合、各伝票間での複写には任意の複写機構を適用することが可能である。例えば、三枚の伝票からなる複写式伝票の場合、最も上の伝票から中央の伝票への複写には複写層を用いた複写機構を、中央の伝票から最も下の伝票への複写には発色剤層と顕色剤層とを組み合わせた複写機構を適用できる。
また、第３〜第５の実施形態においては、荷物に貼り付けられる一番下の伝票に剥離層及び受像層からなる剥離機構が設けられている場合を例としたが、それ以外の伝票にも剥離機構を設けてもよい。例えば、一番上の伝票が送り主用の控え伝票として使用される場合は、その伝票にも剥離機構を設けるようにしても良い。このようにすれば、送り主が控え伝票を廃棄する際に、これに表示されている個人情報を容易に判読不能な状態とできる。
【００４９】
上記各実施形態は本発明の好適な実施の一例であり、本発明はこれに限定されることはない。
例えば、上記各実施形態において図示した伝票の構成はあくまでも一例であり、伝票のレイアウトは図示した例と異なっていても良い。
また、上記のいずれの実施形態においても、受像層を備えない層構成（図１（ｂ）の層構成）の積層構造体を用いても同様の効果が得られることは言うまでもない。
このように、本発明は様々な変形が可能である。
【図面の簡単な説明】
【００５０】
【図１】本発明にかかる個人情報保護伝票に適用する積層構造体の基本構成を示す図であり、（ａ）は受像層を備える場合、（ｂ）は受像層を備えない場合の層構成を示す。
【図２】本発明を好適に実施した第１の実施形態にかかる個人情報保護伝票の構成を示す図である。
【図３】第１の実施形態にかかる個人情報保護伝票に適用する積層構造体の構成を示す図である。
【図４】情報表示部が削り取られる様子を示した図である。
【図５】本発明を好適に実施した第２の実施形態にかかる個人情報保護伝票の構成を示す図であり、（ａ）は積層構造体の層構成を、（ｂ）は、個人情報保護伝票の裏面の構成を示す。
【図６】本発明を好適に実施した第３の実施形態にかかる個人情報保護伝票の構成を示す図である。
【図７】第３の実施形態にかかる個人情報保護伝票において、第１の伝票に個人情報が複写された状態を示す図である。
【図８】本発明を好適に実施した第４の実施形態にかかる個人情報保護伝票の構成を示す図である。
【図９】第４の実施形態にかかる個人情報保護伝票において、第１の伝票に個人情報が複写された状態を示す図である。
【図１０】本発明を好適に実施した第５の実施形態にかかる個人情報保護伝票の構成を示す図である。
【図１１】第５の実施形態にかかる個人情報保護伝票において、第１の伝票に個人情報が複写された状態を示す図である。
【符号の説明】
【００５１】
１０    基材
１０ａ    上基材
１０ｂ    下基材
１０ｃ    剥離可能接着層
２０    剥離層
３０    受像層
４０    情報表示部
５０    接着層
６０    複写層
７０    第２の基材
８０    発色剤層
９０    顕色剤層
１００    自己発色層
１２０    透明フィルム
１２１    粘着部
【図１】
2007301938.tif 000003
【図２】
2007301938.tif 000004
【図３】
2007301938.tif 000005
【図４】
2007301938.tif 000006
【図５】
2007301938.tif 000007
【図６】
2007301938.tif 000008
【図７】
2007301938.tif 000009
【図８】
2007301938.tif 000010
【図９】
2007301938.tif 000011
【図１０】
2007301938.tif 000012
【図１１】
2007301938.tif 000013